(57)【要約】【課題】広告対象に対する情報を発信する情報発信者のモチベーションを向上させることができる、情報処理装置、情報処理方法および情報処理プログラムを提供する。【解決手段】情報処理装置は、ネットワークを介して広告対象を参照するための参照情報を有する参照元の属性情報を取得する属性情報取得部と、取得された属性情報に基づき、参照元の所有者のランクを決定するランク決定部と、決定されたランクに基づき所有者に対する成果報酬を調整するための調整情報を生成する報酬調整部とを備える。【選択図】図１
2019152937.tif 000002
【特許請求の範囲】
【請求項１】
ネットワークを介して広告対象を参照するための参照情報を有する参照元の属性情報を取得する属性情報取得部と、
取得された前記属性情報に基づき、前記参照元の所有者のランクを決定するランク決定部と、
決定された前記ランクに基づき前記所有者に対する成果報酬を調整するための調整情報を生成する報酬調整部と
を備える、情報処理装置。
【請求項２】
前記属性情報取得部は、前記属性情報として、前記参照元に対する評価数を取得する、請求項１に記載の情報処理装置。
【請求項３】
前記属性情報取得部は、前記属性情報として、前記参照元を閲覧している閲覧者数を取得する、請求項１又は２に記載の情報処理装置。
【請求項４】
前記属性情報取得部は、前記属性情報として、前記参照元から提供される情報が更新される更新状況を取得する、請求項１から３のいずれか一項に記載の情報処理装置。
【請求項５】
決定された前記ランクに基づき、前記参照元において使用可能な表示情報を提供する表示情報提供部をさらに備え、
前記報酬調整部は、前記参照元において使用された前記表示情報に応じて前記成果報酬を調整する、請求項１から４のいずれか一項に記載の情報処理装置。
【請求項６】
前記ランク決定部は、取得された前記属性情報の変動があった場合において、前記所有者の前記ランクを下げない、請求項１から５のいずれか一項に記載の情報処理装置。
【請求項７】
ネットワークを介して広告対象を参照するための参照情報を有する参照元の属性情報を取得する属性情報取得ステップと、
取得された前記属性情報に基づき、前記参照元の所有者のランクを決定するランク決定ステップと、
決定された前記ランクに基づき前記所有者に対する成果報酬を調整するための調整情報を生成する報酬調整ステップと
を含む、情報処理方法。
【請求項８】
コンピュータに、
ネットワークを介して広告対象を参照するための参照情報を有する参照元の属性情報を取得する属性情報取得機能と、
取得された前記属性情報に基づき、前記参照元の所有者のランクを決定するランク決定機能と、
決定された前記ランクに基づき前記所有者に対する成果報酬を調整するための調整情報を生成する報酬調整機能と
を実現させるための情報処理プログラム。
【発明の詳細な説明】
【技術分野】
【０００１】
本発明は、情報処理装置、情報処理方法および情報処理プログラムに関する。
【背景技術】
【０００２】
近年、インターネットを活用したアフリエイトプログラムが広く用いられている。アフリエイトプログラムにおいて、アフリエイター等の情報発信者は、広告対象の商品またはサービスへのハイパーリンク（以下、「リンク」と略す。）を表示するＷｅｂページを含むＷｅｂサイトを所有してインターネット上に提供する。情報発信者は、所有しているＷｅｂサイトにおいて閲覧者がＷｅｂページのリンクのリンク先において商品の購入等をした場合に、購入等の実績に応じて成果報酬を得ることができる（例えば、特許文献１を参照）。
【０００３】
また、情報発信者が写真または文章等の情報を投稿することにより数多くの閲覧者を集めることができるブログ等の情報発信手段が存在している（例えば、特許文献２を参照）。閲覧者が多い情報発信手段において発信された広告対象の情報は多くの閲覧者に伝達されるため、情報発信者が広告対象についての情報を投稿した場合、広告対象の宣伝に大きな影響を与える場合がある。
【先行技術文献】
【特許文献】
【０００４】
【特許文献１】特開２０１７−１２６３５０号公報
【特許文献２】特開２０１７−１５１７４１号公報
【発明の概要】
【発明が解決しようとする課題】
【０００５】
しかし、情報発信者がアフリエイトプログラムを始めて間もない場合、広告対象の購入等に応じた成果報酬が少ない場合がある。成果報酬が少ない場合、広告対象に対する情報を発信する情報発信者のモチベーションが低下してしまう場合があった。また、閲覧数が多いブログ等において広告対象に対する情報が発信されて広告対象の宣伝に大きな影響を与える場合であっても、ブログ等においてアフリエイトプログラムが実施されていない場合、情報発信者が報酬を得ることができず、情報発信者のモチベーションが低下してしまう場合があった。
【０００６】
本発明は上記事情に鑑みてなされたものであり、１つの実施形態において、広告対象に対する情報を発信する情報発信者のモチベーションを向上させることができる、情報処理装置、情報処理方法および情報処理プログラムを提供することを一つの目的とする。
【課題を解決するための手段】
【０００７】
（１）上記の課題を解決するため、実施形態の情報処理装置は、ネットワークを介して広告対象を参照するための参照情報を有する参照元の属性情報を取得する属性情報取得部と、取得された前記属性情報に基づき、前記参照元の所有者のランクを決定するランク決定部と、決定された前記ランクに基づき前記所有者に対する成果報酬を調整するための調整情報を生成する報酬調整部とを備える。
【０００８】
（２）また、実施形態の情報処理装置において、前記属性情報取得部は、前記属性情報として、前記参照元に対する評価数を取得する。
【０００９】
（３）また、実施形態の情報処理装置において、前記属性情報取得部は、前記属性情報として、前記参照元を閲覧している閲覧者数を取得する。
【００１０】
（４）また、実施形態の情報処理装置において、前記属性情報取得部は、前記属性情報として、前記参照元から提供される情報が更新される更新状況を取得する。
【００１１】
（５）また、実施形態の情報処理装置において、決定された前記ランクに基づき、前記参照元において使用可能な表示情報を提供する表示情報提供部をさらに備え、前記報酬調整部は、前記参照元において使用された前記表示情報に応じて前記成果報酬を調整する。
【００１２】
（６）また、実施形態の情報処理装置において、前記ランク決定部は、取得された前記属性情報の変動があった場合において、前記所有者の前記ランクを下げない。
【００１３】
（７）上記の課題を解決するため、実施形態の情報処理方法は、ネットワークを介して広告対象を参照するための参照情報を有する参照元の属性情報を取得する属性情報取得ステップと、取得された前記属性情報に基づき、前記参照元の所有者のランクを決定するランク決定ステップと、決定された前記ランクに基づき前記所有者に対する成果報酬を調整するための調整情報を生成する報酬調整ステップとを含む。
【００１４】
（８）上記の課題を解決するため、実施形態の情報処理プログラムは、コンピュータに、ネットワークを介して広告対象を参照するための参照情報を有する参照元の属性情報を取得する属性情報取得機能と、取得された前記属性情報に基づき、前記参照元の所有者のランクを決定するランク決定機能と、決定された前記ランクに基づき前記所有者に対する成果報酬を調整するための調整情報を生成する報酬調整機能とを実現させる。
【発明の効果】
【００１５】
一つの実施形態によれば、広告対象に対する情報を発信する情報発信者のモチベーションを向上させることができる、情報処理装置、情報処理方法および情報処理プログラムを提供することができる。
【図面の簡単な説明】
【００１６】
【図１】実施形態における情報処理装置のソフトウェア構成の一例を示すブロック図である。
【図２】実施形態における情報処理装置のハードウェア構成の一例を示すブロック図である。
【図３】実施形態における情報処理プログラムの動作の一例を示すフローチャートである。
【発明を実施するための形態】
【００１７】
以下、図面を参照して本発明の一実施形態における、情報処理装置、情報処理方法および情報処理プログラムについて詳細に説明する。
【００１８】
先ず、図１を用いて、情報処理装置のソフトウェア構成を説明する。図１は、実施形態における情報処理装置のソフトウェア構成の一例を示すブロック図である。
【００１９】
図１において、情報処理装置１は、属性情報取得部１１、ランク決定部１２、報酬調整部１３、表示情報提供部１４、転送部１５および報酬決定部１６の各機能を有する。本実施形態における情報処理装置１の上記各機能は、情報処理装置１を制御する情報処理プログラム（ソフトウェア）によって実現される機能モジュールであるものとして説明する。
【００２０】
図１においては、ネットワーク９を介して、情報処理装置１、情報発信装置２、閲覧者装置３及び広告対象システム４が通信可能に接続されている。ネットワーク９は、有線通信または無線通信を含んでいてもよく、複数種類のネットワークにおいて構成されるものであってもよい。
【００２１】
情報発信装置２は、ネットワーク９および情報処理装置１を介して広告対象を参照するための参照情報を有する参照元を備えた装置である。広告対象とは、例えば、商品又はサービス等（商品等）である。広告対象を参照するための参照情報とは、例えば、情報処理装置１を介して商品等にアクセスするための、アフリエイトプログラムにおいて定められたＵＲＬ（Ｕｎｉｆｏｒｍ  Ｒｅｓｏｕｒｃｅ  Ｌｏｃａｔｏｒ）である。参照情報を有する参照元とは、例えば、ＵＲＬを含んだＷｅｂページである。情報発信装置２は、複数の所有者が所有するＷｅｂページを備えることができる。所有者は、自身が所有するＷｅｂページを作成し、編集することができる。所有者は、Ｗｅｂページに、アフリエイトプログラムにおいて定められたＵＲＬを含ませることができる。所有者は、例えば、ハイパーリンクテキストを表示せることにより、またはＵＲＬを含むバナーを表示させることにより、自身が所有するＷｅｂページに含ませることができる。アフリエイトプログラムにおいて定められたＵＲＬには、アフリエイターとしての所有者を識別するための情報が含まれている。本実施形態において、広告対象を参照するための参照情報を有する参照元の「所有者」は、広告対象に対する情報を発信する「情報発信者」と同義であるものとして説明する。
【００２２】
閲覧者装置３は、ネットワーク９を介して情報発信装置２のＷｅｂページを閲覧するためのＷｅｂブラウザを有する装置であり、例えば、閲覧者が所有するスマートフォン、タブレットＰＣ、ノートＰＣまたはデスクトップＰＣ等である。閲覧者装置３は、情報発信装置２のＷｅｂページに含まれる広告対象のＵＲＬを介して広告対象システム４の広告対象にアクセスすることができる。アフリエイトプログラムにおいては、閲覧者によって広告対象のＵＲＬを介して広告対象に対する所定の成果が発生した場合に成果報酬が支払われる。成果報酬とは、例えば、金銭、現金や商品に交換可能なポイント、所定の権利または褒賞等である。広告対象に対する所定の成果とは、例えば、閲覧者が、Ｗｅｂページから広告対象に対してアクセスをした場合、広告対象に対して問い合わせをした場合、広告対象に対して購入の申し出をした場合、または広告対象を購入した場合等である。アフリエイターは、発生した成果に応じて予め定められた報酬を得ることができる。
【００２３】
広告対象システム４は、広告対象の商品等を販売等するＷｅｂサイトを有するシステムであり、アフリエイトプログラムにおいて広告対象に対する販売等の成果があった場合、成果を情報処理装置に対して報告する。なお、図１においては、広告対象システム４が情報処理装置１と別装置（システム）で構成される場合を示したが、広告対象システム４は情報処理装置１と同じ装置（システム）において実施されてもよい。
【００２４】
属性情報取得部１１は、ネットワーク９を介して広告対象を参照するための参照情報を有する参照元の属性情報を取得する。参照元の属性情報とは、例えば、（Ａ）参照元に対する評価数、（Ｂ）参照元を閲覧した閲覧者数、または（Ｃ）参照元から提供される情報が更新される更新状況等である。属性情報取得部１１は、参照元の属性情報を、定期的に（例えば、１日１回）、または所定のタイミングで（例えば、成果が発生したタイミングで）取得してもよい。
【００２５】
＜（Ａ）参照元に対する評価数＞
参照元に対する評価数とは、参照元を参照した閲覧者による評価の数である。閲覧者による評価の数とは、例えば、参照元のＷｅｂページまたはＷｅｂページに含まれるコンテンツに対する「いいね」の数である。参照元に対する評価数が多い場合、参照元の所有者の情報発信力が高いと推定することができる。参照元の評価は閲覧者によって行われる。評価数は、閲覧者による閲覧数と、参照元の情報に対する閲覧者からの反応の大きさによって影響を受ける。したがって、評価数が多い参照元の情報は多くの閲覧者に対して強い情報発信力を有していると考えることができるため、評価数は情報発信力の指標とすることが可能となる。アフリエイトプログラムにおいては、広告対象の購入等の成果が実際にあった場合にのみ成果報酬に反映される。しかし、購入等に至らなかった場合であっても広告対象のバナー等が多くの閲覧者に閲覧された場合、閲覧者に対する広告宣伝効果が見込める可能性が高い。属性情報取得部１１は、参照元に対する評価数を取得することにより、アフリエイトプログラムでは検出できない広告対象に対する閲覧者への広告効果を検出することが可能となる。属性情報取得部１１は、例えば、参照元に掲載された写真や文書等のコンテンツに対する「いいね」の数を取得する。属性情報取得部１１は、参照元に複数のコンテンツが存在している場合、複数のコンテンツに対する「いいね」の数の合計を取得してもよい。
【００２６】
＜（Ｂ）参照元を閲覧した閲覧者数＞
参照元を閲覧した閲覧者数とは、参照元を閲覧した閲覧者の数である。参照元を閲覧した閲覧者数も評価数と同様に、参照元の所有者の情報発信力の高さを推定する指標とすることができる。属性情報取得部１１は、参照元を閲覧した閲覧者数を取得することにより、アフリエイトプログラムでは検出できない広告対象に対する閲覧者への広告効果を検出することが可能となる。属性情報取得部１１は、例えば、Ｗｅｂサイトの閲覧者数、Ｗｅｂページ毎の閲覧者数、またはコンテンツ毎の閲覧者数を取得する。また、属性情報取得部１１は、期間を限定しない延べ人数における閲覧者数を取得してもよく、また所定の期間における閲覧者数を取得してもよい。
【００２７】
＜（Ｃ）参照元から提供される情報が更新される更新状況＞
参照元から提供される情報の更新とは、参照元から提供される情報を追加し、編集しまたは削除等を行うことである。また、情報が更新される更新状況とは、更新回数、更新頻度（例えば、所定期間における更新回数）、または最終的な更新が行われてからの期間等である。更新対象の情報とは、広告対象を参照するための参照情報を追加し、または編集すること等である。情報の更新は、例えば、Ｗｅｂページに広告対象を参照するための新たなバナーを貼り付けること、または広告対象に対する評価を含むブログを更新すること等である。また、情報の更新には、広告対象以外の情報の更新を含んでいてもよい。閲覧者は広告対象以外の情報を得ることを目的としてＷｅｂページを閲覧する場合がある。閲覧者は閲覧目的の情報とともに広告対象の情報を合わせて閲覧することになる。更新頻度を高くして閲覧者による閲覧頻度を高くすることにより広告効果が高まる可能性がある。属性情報取得部１１は、参照元から提供される情報が更新される更新状況を取得することにより、アフリエイトプログラムでは検出できない広告対象に対する閲覧者への広告効果を検出することが可能となる。
【００２８】
ランク決定部１２は、属性情報取得部１１において取得された属性情報に基づき、参照元の所有者のランクを決定する。所有者のランクとは、例えば、「プラチナ、ゴールド、シルバーもしくはブロンズ」、「Ａランク、ＢランクもしくはＣランク」「上級もしくは一般」等で分類される所有者の格付けである。ランク決定部１２は、例えば、参照元に対する評価数、参照元を閲覧した閲覧者数、または参照元から提供される情報が更新される更新状況等に応じてランクを決定する。例えば、ランク決定部１２は、肯定的な評価数から否定的な評価数を減算してランクを決定する。また、ランク決定部１２は、閲覧者数の増加割合に応じてランクを決定してもよい。また、ランク決定部１２は、設定された優遇期間において通常より有利となるランクを決定するようにしてもよい。上述のように、属性情報によってアフリエイトプログラムでは評価できない宣伝効果を検出できる場合がある。このため、属性情報に基づき所有者のランクを決定することにより、所有者のモチベーションを向上させることが可能となる。
【００２９】
ランク決定部１２は、属性情報取得部１１において取得された属性情報の変動があった場合において、所有者のランクを下げない（所有者のランクを下げる決定をしない）ようにしてもよい。例えば、所有者の都合によって一時的にブログの更新回数が減ったり、季節的な要因等で閲覧者数が減ったりする場合がある。属性情報の変動があった場合において、所有者のランクを下げないことにより、ランク決定部１２は、所有者のモチベーションを向上させる（または低下させない）ことが可能となる。ランク決定部１２は、無条件で所有者のランクを下げないようにしてもよく、一方、ランクを維持する所定の要件を維持している間は所有者のランクを下げないようにしてもよい。ランクを維持する所定の要件とは、例えば、ランクアップしてから所定の期間内であること、キャンペーン期間中であること、所定の期間におけるアフリエイトプログラムにおける成果報酬が所定値以上であること、または、所定の期間内において所有者自身がアフリエイトプログラムを利用して商品等を購入したこと等である。また、所定の要件は、所有者が有料の会員であること等であってもよい。
【００３０】
報酬調整部１３は、ランク決定部１２において決定された所有者のランクに基づき所有者に対する成果報酬を調整するための調整情報を生成する。所有者に対する成果報酬を調整するための調整情報とは、成果報酬に対して所定の加算を行うための情報である。成果報酬は、アフリエイトプログラム等において予め定められた報酬である。ここでは成果報酬が金額である場合を説明する。例えば、報酬調整部１３は、アフリエイトプログラムにおいて予め定められた金額に対して、所定の割合で金額を加算し、または所定金額を加算するための調整情報を生成する。報酬調整部１３は、所有者のランクが「Ａランク」の場合２０％、「Ｂランク」の場合１０％、「Ｃランク」の場合０％（加算無し）等の割増金額を加算するための調整情報を生成してもよい。成果報酬を調整することにより、所有者のモチベーションを向上させることが可能となる。
【００３１】
表示情報提供部１４は、ランク決定部１２において決定された所有者のランクに基づき、参照元において使用可能な表示情報を提供する。参照元において使用可能な表示情報とは、例えば、Ｗｅｂページに表示可能なバナーのデータである。バナーには、所有者のランクを表示することができる。参照元において使用可能な表示情報を所有者に提供することにより、所有者のモチベーションを向上させることが可能となる。
【００３２】
表示情報提供部１４は、参照元において使用可能な表示情報として、所有者のランクを示すランク情報が伝達される表示情報を提供してもよい。例えば、参照元がＷｅｂページである場合、表示情報提供部１４は、Ｗｅｂページにおいて使用可能なバナーに、情報処理装置１の転送部１５のアドレス、所有者を識別する識別情報、およびランク情報を含んだＵＲＬを含める。閲覧者がＷｅｂページに表示されたバナーをクリックした場合、ＵＲＬに含まれる転送部１５のアドレスに対して、識別情報とランク情報とが伝達される。
【００３３】
転送部１５は、表示情報提供部１４において提供されたＵＲＬに基づくアクセスを広告対象システム４に転送する。転送部１５は、ＵＲＬに含まれる識別情報とランク情報とを取得することができる。転送部１５は、転送したアクセスにおいて商品購入等の成果が発生した場合、広告対象システム４から発生した成果に係る成果情報（例えば、購入金額等）を取得する。転送部１５は、取得したランク情報を報酬調整部１３に提供する。報酬調整部１３は提供されたランク情報に基づき成功報酬を調整する調整情報を生成する。また、転送部１５は、取得した所有者の識別情報と成果情報とを報酬決定部１６に提供する。
【００３４】
報酬決定部１６は、転送部１５から所有者の識別情報と成果情報とを取得する。報酬決定部１６は、転送部１５から取得した識別情報と成果情報とに基づき、アフリエイトプログラムにおいて定められる所有者に対する成果報酬を算出する。また、報酬決定部１６は、報酬調整部１３から取得した調整情報に基づき、算出した成果報酬を調整する。例えば、アフリエイトプログラムにおいて、広告対象の商品の購入金額に対して成功報酬が１０％であると定められている場合、報酬決定部１６は、購入金額の１０％を成果報酬として算出する。商品の購入金額が１０，０００円であった場合、アフリエイトプログラムにより定められた報酬金額は１，０００円である。さらに、報酬決定部１６は、調整情報が報酬金額に対して１０％の割増しをするものである場合、報酬金額を調整して、成果報酬の合計を１，１００円と算出する。報酬決定部１６は、算出した成功報酬における報酬金額を所有者毎に集計して、集計した報酬金額を所有者に通知するようにしてもよい。
【００３５】
なお、情報処理装置１が有する、属性情報取得部１１、ランク決定部１２、報酬調整部１３、表示情報提供部１４、転送部１５および報酬決定部１６の各機能は、情報処理装置１の機能の一例を示したものであり、情報処理装置１が有する機能を限定したものではない。例えば、情報処理装置１は、上記全ての機能を有している必要はなく、一部の機能を有するものであってもよい。また、情報処理装置１は、上記以外の他の機能を有していてもよい。例えば、情報処理装置１は、例えば機能の設定を行うための入力機能や、装置の稼働状態をＬＥＤランプ等により報知する出力機能を有していてもよい。
【００３６】
また情報処理装置１が有する上記各機能は、上述の通り、ソフトウェアによって実現されるものとして説明した。しかし、情報処理装置１が有する上記機能の中で少なくとも１つ以上の機能は、ハードウェアによって実現されるものであっても良い。
【００３７】
また、情報処理装置１が有する上記何れかの機能は、１つの機能を複数の機能に分割して実施してもよい。また、情報処理装置１が有する上記何れか２つ以上の機能を１つの機能に集約して実施してもよい。すなわち、図１は、情報処理装置１が有する機能を機能ブロックで表現したものであり、例えば、各機能がそれぞれ別個のプログラムファイル等で構成されていることを示すものではない。
【００３８】
また、情報処理装置１は、１つの筐体によって実現される装置であっても、ネットワーク等を介して接続された複数の装置から実現されるシステムであってもよい。例えば、情報処理装置１は、その機能の一部または全部をクラウドコンピューティングシステムによって提供されるクラウドサービス等、仮想的な装置によって実現するものであってもよい。すなわち、情報処理装置１は、上記各機能のうち、少なくとも１以上の機能を他の装置において実現するようにしてもよい。また、情報処理装置１は、サーバ装置等の汎用的なコンピュータであってもよく、機能が限定された専用の装置であってもよい。
【００３９】
次に、図２を用いて、情報処理装置１のハードウェア構成を説明する。図２は、実施形態における情報処理装置１のハードウェア構成の一例を示すブロック図である。
【００４０】
情報処理装置１は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、タッチパネル１０４および通信Ｉ／Ｆ（Ｉｎｔｅｒｆａｃｅ）１０５を有する。情報処理装置１は、図１で説明した情報処理プログラムを実行する装置である。
【００４１】
ＣＰＵ１０１は、ＲＡＭ１０２またはＲＯＭ１０３に記憶された情報処理プログラムを実行することにより、情報処理装置１の制御を行う。情報処理プログラムは、例えば、情報処理プログラムを記録した記録媒体、またはネットワークを介したプログラム配信サーバ等から取得されて、ＲＯＭ１０３にインストールされ、ＣＰＵ１０１から読出されて実行される。
【００４２】
タッチパネル１０４は、操作入力機能と表示機能（操作表示機能）を有する。タッチパネル１０４は、情報処理装置１の利用者に対して指先またはタッチペン等を用いた操作入力を可能にする。本実施形態における情報処理装置１は操作表示機能を有するタッチパネル１０４を用いる場合を説明するが、情報処理装置１は、表示機能を有する表示装置と操作入力機能を有する操作入力装置とを別個有するものであってもよい。その場合、タッチパネル１０４の表示画面は表示装置の表示画面、タッチパネル１０４の操作は操作入力装置の操作として実施することができる。なお、タッチパネル１０４は、ヘッドマウント型、メガネ型、腕時計型のディスプレイ等の種々の形態によって実現されてもよい。
【００４３】
通信Ｉ／Ｆ１０５は、無線通信用のＩ／Ｆである。通信Ｉ／Ｆ１０５は、例えば、無線ＬＡＮ、有線ＬＡＮ、赤外線等の近距離無線通信を実行する。図２において通信Ｉ／Ｆは通信Ｉ／Ｆ１０５のみを図示するが、情報処理装置１は複数の通信方式においてそれぞれの通信Ｉ／Ｆを有するものであってもよい。
【００４４】
次に、図３を用いて、情報処理プログラムの動作を説明する。図３は、実施形態における情報処理プログラムの動作の一例を示すフローチャートである。以下のフローチャートの説明において、動作の実行主体は情報処理装置１であるものとして説明するが、それぞれの動作は、上述した情報処理装置１の各機能において実行される。
【００４５】
図３において、情報処理装置１は、参照元を介して閲覧者装置３からのアクセスを受けたか否かを判断する（ステップＳ１１）。アクセスを受けたか否かは、例えば、転送部１５が広告対象を参照するための参照情報（例えば、ＵＲＬ）に基づきアクセスされたか否かで判断することができる。アクセスを受けていないと判断した場合（ステップＳ１１：ＮＯ）、情報処理装置１は、ステップＳ１１の処理を繰り返し、アクセスを受けるのを待機する。
【００４６】
一方、アクセスを受けたと判断した場合（ステップＳ１１：ＹＥＳ）、情報処理装置１は、アクセスに含まれる識別情報を取得し（ステップＳ１２）、ランク情報を取得する（ステップＳ１３）。識別情報とランク情報は、例えば、ＵＲＬの引数として転送部１５が閲覧者装置３からアクセスされることにより取得することができる。
【００４７】
ステップＳ１３の処理を実行した後、情報処理装置１は、閲覧者装置３から受けたアクセスを広告対象システム４の広告対象に転送する（ステップＳ１４）。アクセスの転送は、転送部１５が、広告対象にリンク先を変更したＵＲＬを閲覧者装置３に提供することにより実行することができる。
【００４８】
ステップＳ１４の処理を実行した後、情報処理装置１は、成果情報を取得したか否かを判断する（ステップＳ１５）。成果情報を取得したか否かは、転送部１５が広告対象システム４から成果情報を取得することにより判断することができる。広告対象システム４は、情報発信装置２を介した閲覧者装置３からのアクセスにおいて商品の購入等があった場合に成果情報を転送部１５に送信する。成果情報を取得していないと判断した場合（ステップＳ１５：ＮＯ）、情報処理装置１は、トランザクションが終了したか否かを判断する（ステップＳ１６）。トランザクションは、情報発信装置２を介した閲覧者装置３からのアクセスから広告対象システム４における商品の購入等が終了するまでの一連の取引である。トランザクションが終了したか否かは、例えば、特定のセッションＩＤを使用した通信が継続しているか否かで判断することができる。転送部１５は、所定の時間、特定のセッションＩＤを使用した通信が行われない場合、セッションタイムアウトによりトランザクションが終了したと判断することができる。トランザクションが終了したと判断した場合（ステップＳ１６：ＹＥＳ）、情報処理装置１は、フローチャートで示す動作を終了する。一方、トランザクションが終了していないと判断した場合（ステップＳ１６：ＮＯ）、情報処理装置１は、ステップＳ１５〜ステップＳ１６の処理を繰り返す。
【００４９】
一方、成果情報を取得したと判断した場合（ステップＳ１５：ＹＥＳ）、情報処理装置１は、属性情報を取得する（ステップＳ１７）。属性情報の取得は、属性情報取得部１１が情報発信装置２における参照元の属性情報を取得することにより実行することができる。
【００５０】
ステップＳ１７の処理を実行した後、情報処理装置１は、参照元の所有者のランクを決定する（ステップＳ１８）。所有者のランクの決定は、ランク決定部１２がステップＳ１７の処理において取得された属性情報に基づき実行することができる。
【００５１】
ステップＳ１８の処理を実行した後、情報処理装置１は、成果報酬を調整する（ステップＳ１９）。成果報酬の調整は、報酬調整部１３がステップＳ１８の処理において決定された所有者のランクに応じて成果報酬を加算することにより実行することができる。
【００５２】
ステップＳ１９の処理を実行した後、情報処理装置１は、成果報酬を決定する（ステップＳ２０）。成果報酬の決定は、報酬決定部１６が、ステップＳ１５の処理において取得された成果情報と、ステップＳ１９の処理において実行された成果報酬の調整とに基づき実行することができる。
【００５３】
ステップＳ２０の処理を実行した後、情報処理装置１は、所有者のランクの変動があったか否かを判断する（ステップＳ２１）。所有者のランクの変動があったか否かは、ステップＳ１８の処理において決定されたランクに変動があったか否かで判断することができる。所有者のランクの変動があったと判断した場合（ステップＳ２１：ＹＥＳ）、情報処理装置１は、新たなランクにおける表示情報を所有者に提供する（ステップＳ２２）。表示情報の所有者への提供は、表示情報提供部１４が、例えば新たなランクにおける表示情報を情報発信装置２からダウンロード可能とすることにより実行することができる。なお、情報処理装置１は、ランクに変動があった場合においても、所有者のランクを下げない。
【００５４】
ステップＳ２２の処理を実行した後、または、所有者のランクの変動がないと判断した場合（ステップＳ２１：ＮＯ）、情報処理装置１は、所有者における成果報酬を集計する（ステップＳ２３）。成果報酬の集計は、報酬決定部１６がステップＳ２０の処理において決定した成果報酬を所有者毎に集計することで実行することができる。ステップＳ２３の処理を実行した後、情報処理装置１は、フローチャートで示す動作を終了する。
【００５５】
なお、本実施形態で説明した、情報処理装置１の各ステップにおける処理は、実行順序を限定するものではない。例えば、図３においては、ステップＳ１８の処理における所有者のランクの決定を成果情報の取得後に実行した後に、ステップＳ２０の処理における報酬の決定を実行する場合を説明した。しかし、ランクの決定処理と報酬の決定処理の実行順序はそれぞれ別個独立に行うようにしてもよい。
【００５６】
本実施形態で説明した装置を構成する機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組合せで実現するもの、いわゆる差分ファイル（差分プログラム）であっても良い。
【００５８】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【００５９】
１      情報処理装置
１１    属性情報取得部
１２    ランク決定部
１３    報酬調整部
１４    表示情報提供部
１５    転送部
１６    報酬決定部
２      情報発信装置
３      閲覧者装置
４      広告対象システム
９      ネットワーク
１０１  ＣＰＵ
１０２  ＲＡＭ
１０３  ＲＯＭ
１０４  タッチパネル
１０５  通信Ｉ／Ｆ
【図１】
2019152937.tif 000003
【図２】
2019152937.tif 000004
【図３】
2019152937.tif 000005